(57)【要約】【課題】操作性の良好な入力支援システム、及び、電子機器を提供する。【解決手段】入力支援システムは、第１利用者の操作対象になるＧＵＩ部品を表示する第１表示部と、前記第１表示部の表示面側に配設され、第１操作面を有する第１トップパネルと、前記第１操作面に非接触で近接する第１利用者の身体の一部の第１位置を検出する、静電容量式の第１位置検出部と、前記位置検出部によって検出される前記第１位置と前記第１操作面との間の距離が所定値以下になると、前記第１表示部の表示領域のうちの前記第１位置を前記第１表示部に投影した第１投影位置に、第１ポインタを表示する第１ポインタ制御部とを有する、電子機器と、前記電子機器とは独立して設けられるとともに、前記電子機器と通信可能に接続され、前記第１表示部に表示される前記ＧＵＩ部品と前記第１ポインタとを相対位置関係を保持して表示するモニタとを含む。【選択図】図５
2017068797.tif 000002
【特許請求の範囲】
【請求項１】
第１利用者の操作対象になるＧＵＩ部品を表示する第１表示部と、
前記第１表示部の表示面側に配設され、第１操作面を有する第１トップパネルと、
前記第１操作面に非接触で近接する第１利用者の身体の一部の第１位置を検出する、静電容量式の第１位置検出部と、
前記第１位置検出部によって検出される前記第１位置と前記第１操作面との間の距離が所定値以下になると、前記第１表示部の表示領域のうちの前記第１位置を前記第１表示部に投影した第１投影位置に、第１ポインタを表示する第１ポインタ制御部と
を有する、電子機器と、
前記電子機器とは独立して設けられるとともに、前記電子機器と通信可能に接続され、前記第１表示部に表示される前記ＧＵＩ部品と前記第１ポインタとを相対位置関係を保持して表示する表示装置と
を含む、入力支援システム。
【請求項２】
前記第１位置検出部は、ホバリング機能によって前記第１位置を検出する、請求項１記載の入力支援システム。
【請求項３】
前記表示装置は、第１利用者の眼前に配置されるディスプレイパネル、又は、第１利用者が装着するヘッドマウントディスプレイである、請求項１又は２記載の入力支援システム。
【請求項４】
前記電子機器と通信可能に接続されるサブ電子機器をさらに含み、
前記サブ電子機器は、
第２利用者の操作対象として前記ＧＵＩ部品を表示する第２表示部と、
前記第２表示部の表示面側に配設され、第２操作面を有する第２トップパネルと、
前記第２操作面に非接触で近接する第２利用者の身体の一部の第２位置を検出する、静電容量式の第２位置検出部と、
前記第２位置検出部によって検出される前記第２位置と前記第２操作面との間の距離が所定値以下になると、前記第２表示部の表示領域のうちの前記第２位置を前記第２表示部に投影した第２投影位置に、第２ポインタを表示する第２ポインタ制御部と、
前記第２表示部における前記第２投影位置を表すデータを前記電子機器に送信する送信部と
を有し、
前記電子機器は、前記サブ電子機器から受信する前記第２投影位置に前記第１表示部の中で対応する位置に、前記第２ポインタを表示し、
前記表示装置は、さらに、前記第１表示部に表示される前記第２ポインタを、前記ＧＵＩ部品と前記第２ポインタとの相対位置関係を保持して表示する、請求項１乃至３のいずれか一項記載の入力支援システム。
【請求項５】
第１利用者の操作対象になるＧＵＩ部品を表示する第１表示部と、
前記第１表示部の表示面側に配設され、第１操作面を有する第１トップパネルと、
前記第１操作面に非接触で近接する第１利用者の身体の一部の第１位置を検出する、静電容量式の位置検出部と、
前記位置検出部によって検出される前記第１位置と前記第１操作面との間の距離が所定値以下になると、前記第１表示部の表示領域のうちの前記第１位置を前記第１表示部に投影した第１投影位置に、第１ポインタを表示する第１ポインタ制御部と、
独立して設けられる表示装置に、前記ＧＵＩ部品及び前記第１ポインタの画像データと、前記第１表示部に表示される前記ＧＵＩ部品と前記第１ポインタとの相対位置を表すデータとを送信する送信部と
を含む、電子機器。
【請求項６】
第１利用者の操作対象になるＧＵＩ部品を表示する第１表示部と、
前記第１表示部の表示面側に配設され、第１操作面を有する第１トップパネルと、
前記第１操作面に行われる操作入力の第１位置を検出する第１位置検出部と、
前記第１表示部に表示される第１ポインタのスワイプ操作を可能にする特定の動作モードにおいて、前記第１位置検出部によって検出される前記第１位置に第１ポインタを表示し、前記操作入力によるスワイプ操作が行われると、前記第１ポインタを移動させる第１ポインタ制御部と
を有する、電子機器と、
前記電子機器とは独立して設けられるとともに、前記電子機器と通信可能に接続され、前記第１表示部に表示される前記ＧＵＩ部品と前記第１ポインタとを相対位置関係を保持して表示する表示装置と
を含む、入力支援システム。
【発明の詳細な説明】
【技術分野】
【０００１】
本発明は、入力支援システム、及び、電子機器に関する。
【背景技術】
【０００２】
従来より、ユーザーの頭部に装着され、ユーザーに画像を視認させる画像生成部と、ユーザーの身体に装着され、２次元である検出領域上のユーザーの記入操作の座標である記入操作座標を検出する記入操作検出手段と、を有するヘッドマウントディスプレイがある。ヘッドマウントディスプレイは、前記記入操作座標に基づいて、記入操作の軌跡画像を生成し、前記画像生成部に出力する記入軌跡画像生成手段をさらに有する。ヘッドマウントディスプレイは、前記記入操作座標に基づき、ユーザーによる記入操作の前記検出領域上の開始位置座標を検出するとともに、当該開始位置座標を前記画像生成部の表示領域上の初期位置座標に変換し、更に、前記初期位置座標と、前記記入操作座標と前記開始位置座標との位置関係を用いて、前記表示領域上の記入軌跡座標を決定する座標変換手段をさらに有する。前記記入軌跡画像生成手段は、前記記入軌跡座標に基づいて記入操作の軌跡画像を生成することを特徴とする（例えば、特許文献１参照）。
【先行技術文献】
【特許文献】
【０００３】
【特許文献１】特開２０１１−１３４０５４号公報
【発明の概要】
【発明が解決しようとする課題】
【０００４】
ところで、従来のヘッドマウントディスプレイは、ユーザーが手元の端末機で記入操作を行おうとするときに、記入前に記入を開始する位置を確認することが困難である。
【０００５】
また、記入操作を行っているときに、軌跡を少し戻す、あるいは、軌跡を少し延ばすというような微妙な位置調整を行うことが困難である。
【０００６】
また、このような課題は、ヘッドマウントディスプレイを装着しているときに限らず、例えば、手元の端末機への入力内容を別のモニタに表示して操作する場合にも同様に生じる。
【０００７】
以上のように、従来の装置は、操作性が良好ではないという課題がある。
【０００８】
そこで、操作性の良好な入力支援システム、及び、電子機器を提供することを目的とする。
【課題を解決するための手段】
【０００９】
本発明の実施の形態の入力支援システムは、第１利用者の操作対象になるＧＵＩ部品を表示する第１表示部と、前記第１表示部の表示面側に配設され、第１操作面を有する第１トップパネルと、前記第１操作面に非接触で近接する第１利用者の身体の一部の第１位置を検出する、静電容量式の第１位置検出部と、前記位置検出部によって検出される前記第１位置と前記第１操作面との間の距離が所定値以下になると、前記第１表示部の表示領域のうちの前記第１位置を前記第１表示部に投影した第１投影位置に、第１ポインタを表示する第１ポインタ制御部とを有する、電子機器と、前記電子機器とは独立して設けられるとともに、前記電子機器と通信可能に接続され、前記第１表示部に表示される前記ＧＵＩ部品と前記第１ポインタとを相対位置関係を保持して表示するモニタとを含む。
【発明の効果】
【００１０】
操作性の良好な入力支援システム、及び、電子機器を提供することができる。
【図面の簡単な説明】
【００１１】
【図１】実施の形態１の入力支援システムに含まれる電子機器１００を示す斜視図である。
【図２】実施の形態１の電子機器１００を示す平面図である。
【図３】図２に示す電子機器１００のＡ−Ａ矢視断面を示す図である。
【図４】実施の形態１の入力支援システム３００を示す図である。
【図５】入力支援システム３００のより詳細なハードウェア構成を示す図である。
【図６】電子機器１００及び表示装置２００の動作を説明する図である。
【図７】電子機器１００及び表示装置２００の動作を説明する図である。
【図８】アプリケーションプロセッサ１４１Ａが実行する処理を示すフローチャートである。
【図９】ヘッドマウントディスプレイ１０を示す図である。
【図１０】実施の形態２の入力支援システム３００Ａを示す図である。
【図１１】実施の形態２の電子機器１００ＡのＲＡＭ１４６が保持するデータの一部を示す図である。
【図１２】電子機器１００Ａ、１００Ｂ、１００Ｃの近接操作によるポインタ１６１Ａ、１６１Ｂ、１６１Ｃを示す図である。
【図１３】表示装置２００のディスプレイパネル２１０に表示されるポインタ２１１Ａ、２１１Ｂ、２１１Ｃを示す図である。
【図１４】電子機器１００Ｂのアプリケーションプロセッサ１４１Ａが実行する処理を示すフローチャートである。
【図１５】電子機器１００Ａのアプリケーションプロセッサ１４１Ａが実行する処理を示すフローチャートである。
【図１６】実施の形態２の変形例の入力支援システム３００Ｂを示す図である。
【図１７】実施の形態３の入力支援システムに含まれる電子機器１００Ｄを示す図である。
【図１８】実施の形態３の電子機器１００Ｄのアプリケーションプロセッサ１４１Ａが実行する処理を示すフローチャートである。
【発明を実施するための形態】
【００１２】
以下、本発明の入力支援システム、及び、電子機器を適用した実施の形態について説明する。
【００１３】
＜実施の形態１＞
図１は、実施の形態１の入力支援システムに含まれる電子機器１００を示す斜視図である。
【００１４】
電子機器１００は、一例として、タッチパネルを入力操作部とする、スマートフォン端末機、又は、タブレット型コンピュータである。電子機器１００は、タッチパネルを入力操作部とする機器であればよいため、例えば、携帯情報端末機、又は、ＰＣ(Personal Computer)であってもよい。
【００１５】
電子機器１００の入力操作部１０１は、タッチパネルの下にディスプレイパネルが配設されており、ディスプレイパネルにＧＵＩ(Graphic User Interface)による様々なボタン１０２Ａ、又は、スライダー１０２Ｂ等（以下、ＧＵＩ部品１０２と称す）が表示される。
【００１６】
また、ＧＵＩ部品は、上述のような操作用の部品に限らず、例えば、ゲームのアプリケーションを実行しているときに表示されるキャラクタ、又は、パズルゲームで表示されるパズルのピース等の様々な部品であってもよい。
【００１７】
電子機器１００の利用者は、通常、ＧＵＩ部品１０２を操作、移動、又は特定等するために、指先で入力操作部１０１に触れる。なお、電子機器１００は、第１電子機器の一例であり、電子機器１００の利用者は、第１利用者の一例である。
【００１８】
次に、図２を用いて、電子機器１００の具体的な構成について説明する。
【００１９】
図２は、実施の形態１の電子機器１００を示す平面図であり、図３は、図２に示す電子機器１００のＡ−Ａ矢視断面を示す図である。なお、図２及び図３では、図示するように直交座標系であるＸＹＺ座標系を定義する。
【００２０】
電子機器１００は、筐体１１０、トップパネル１２０、両面テープ１３０、タッチパネル１５０、ディスプレイパネル１６０、及び基板１７０を含む。
【００２１】
筐体１１０は、例えば、樹脂製であり、図３に示すように凹部１１０Ａに基板１７０、ディスプレイパネル１６０、及びタッチパネル１５０が配設されるとともに、両面テープ１３０によってトップパネル１２０が接着されている。
【００２２】
トップパネル１２０は、平面視で長方形の薄い平板状の部材であり、透明なガラス、又は、ポリカーボネートのような強化プラスティックで作製される。トップパネル１２０の表面（Ｚ軸正方向側の面）は、電子機器１００の利用者が操作入力を行う操作面の一例である。
【００２３】
トップパネル１２０は、平面視における四辺が両面テープ１３０によって筐体１１０に接着されている。なお、両面テープ１３０は、トップパネル１２０の四辺を筐体１１０に接着できればよく、図３に示すように矩形環状である必要はない。
【００２４】
トップパネル１２０のＺ軸負方向側にはタッチパネル１５０が配設される。トップパネル１２０は、タッチパネル１５０の表面を保護するために設けられている。なお、トップパネル１２０の表面に、さらに別なパネル又は保護膜等が設けられていてもよい。
【００２５】
タッチパネル１５０は、ディスプレイパネル１６０の上（Ｚ軸正方向側）で、トップパネル１２０の下（Ｚ軸負方向側）に配設されている。タッチパネル１５０は、電子機器１００の利用者がトップパネル１２０に触れる位置（以下、操作入力の位置と称す）と、利用者がトップパネル１２０に触れる前に、トップパネル１２０に近づける指先の位置とを検出する位置検出部の一例である。なお、ここでは、利用者が指先をトップパネル１２０に近づける形態について説明するが、指先には限らず、利用者の身体の一部であればよい。
【００２６】
タッチパネル１５０の下にあるディスプレイパネル１６０には、ＧＵＩによる様々なボタン等（以下、ＧＵＩ部品と称す）が表示される。このため、電子機器１００の利用者は、通常、ＧＵＩ部品を操作するために、指先でトップパネル１２０に触れる。
【００２７】
タッチパネル１５０は、利用者のトップパネル１２０への操作入力の位置（又は座標）と、利用者がトップパネル１２０に触れる前に、トップパネル１２０に近づける指先の位置とを検出できる位置検出部であればよく、例えば、静電容量型の位置検出部であればよい。タッチパネル１５０とトップパネル１２０との間に隙間があっても、静電容量型のタッチパネル１５０は、トップパネル１２０への操作入力を検出できる。
【００２８】
タッチパネル１５０は、利用者がトップパネル１２０に触れる前に、トップパネル１２０に近づける指先の位置を検出することができる。これは、タッチパネル１５０のホバリング機能によって実現される。人体は導電性を有するため、静電容量型のタッチパネル１５０は、指先が近づいて来ると、静電容量の変化を検出する。このため、タッチパネル１５０は、指先が接触する前において、指先の三次元的な位置を特定することができる。
【００２９】
トップパネル１２０に触れる前の指先の位置は、図２及び図３に示すＸＹＺ座標系の座標で表される。
【００３０】
また、ここでは、タッチパネル１５０の入力面側にトップパネル１２０が配設される形態について説明するが、トップパネル１２０はタッチパネル１５０と一体的であってもよい。この場合、タッチパネル１５０の表面が図２及び図３に示すトップパネル１２０の表面になり、操作面を構築する。また、図２及び図３に示すトップパネル１２０を省いた構成であってもよい。この場合も、タッチパネル１５０の表面が操作面を構築する。
【００３１】
また、タッチパネル１５０が静電容量型の場合は、トップパネル１２０の上にタッチパネル１５０が配設されていてもよい。この場合も、タッチパネル１５０の表面が操作面を構築する。また、タッチパネル１５０が静電容量型の場合は、図２及び図３に示すトップパネル１２０を省いた構成であってもよい。この場合も、タッチパネル１５０の表面が操作面を構築する。
【００３２】
ディスプレイパネル１６０は、例えば、液晶ディスプレイパネル又は有機ＥＬ(Electroluminescence)パネル等の画像を表示できる表示部であればよい。ディスプレイパネル１６０は、筐体１１０の凹部１１０Ａの内部で、図示を省略するホルダ等によって基板１７０の上（Ｚ軸正方向側）に設置される。
【００３３】
ディスプレイパネル１６０は、後述するドライバＩＣ(Integrated Circuit)によって駆動制御が行われ、電子機器１００の動作状況に応じて、ＧＵＩ部品、画像、文字、記号、図形等を表示する。
【００３４】
基板１７０は、筐体１１０の凹部１１０Ａの内部に配設される。基板１７０の上には、ディスプレイパネル１６０及びタッチパネル１５０が配設される。ディスプレイパネル１６０及びタッチパネル１５０は、図示を省略するホルダ等によって基板１７０及び筐体１１０に固定されている。
【００３５】
基板１７０には、後述する駆動制御装置の他に、電子機器１００の駆動に必要な種々の回路等が実装される。
【００３６】
図４は、実施の形態１の入力支援システム３００を示す図である。
【００３７】
入力支援システム３００は、電子機器１００と表示装置２００を含む。
【００３８】
表示装置２００は、一例として、液晶のディスプレイパネル２１０を有する、表示装置の一例である。ディスプレイパネル２１０のサイズは、一例として、１００インチである。表示装置２００は、電子機器１００とは独立して設けられる。
【００３９】
表示装置２００のディスプレイパネル２１０には、電子機器１００のディスプレイパネル１６０と同一の画像が表示される。
【００４０】
利用者は、ディスプレイパネル２１０を見ながら、手元の電子機器１００のトップパネル１２０に触れた指先でフリック、タップ、又はスワイプ等の操作入力を行うことにより、電子機器１００を操作することができる。
【００４１】
なお、フリックは、指先をトップパネル１２０の表面に沿って、はじく（スナップする）ように比較的短い距離移動させる操作である。タップは、指先をトップパネル１２０の表面で移動させずに軽く触れる操作である。スワイプは、指先をトップパネル１２０の表面に沿って掃くように比較的長い距離移動させる操作である。
【００４２】
また、電子機器１００は、トップパネル１２０に触れることなく近づけられた指先の位置をホバリング機能によって検出し、指先の位置をディスプレイパネル１６０に投影した位置に、ポインタを表示する。
【００４３】
ポインタは、トップパネル１２０に触れることなく近づけられた指先の位置を表すものである。電子機器１００は、トップパネル１２０に触れることなく近づけられた指先の位置の座標（Ｘ１，Ｙ１，Ｚ１）を検出することができる。ポインタが表示される位置の座標は（Ｘ１，Ｙ１）である。
【００４４】
すなわち、ポインタが表示される位置の座標（Ｘ１，Ｙ１）は、指先の位置の座標（Ｘ１，Ｙ１，Ｚ１）をディスプレイパネル１６０に投影した位置である。
【００４５】
このようなポインタをディスプレイパネル１６０に表示すると、表示装置２００のディスプレイパネル２１０には、ポインタ２１１が表示される。表示装置２００のディスプレイパネル２１０は、電子機器１００のディスプレイパネル１６０と同一内容の画像を表示する。このため、表示装置２００のディスプレイパネル２１０が表示する画像の中におけるポインタ２１１の位置は、電子機器１００のディスプレイパネル１６０が表示する画像の中におけるポインタの位置と等しい。
【００４６】
このため、利用者は、電子機器１００のディスプレイパネル１６０を見ずに、表示装置２００のディスプレイパネル２１０を見ながら、手元の電子機器１００のトップパネル１２０に近づけた指先をトップパネル１２０に触れることなく移動させると、指先の位置をポインタ２１１で確認することができる。
【００４７】
電子機器１００のディスプレイパネル１６０に表示されるポインタは、指先の陰になって見えにくいが、利用者の眼前にある表示装置２００のディスプレイパネル２１０に表示されるポインタ２１１は、利用者にとって非常に見えやすいものである。
【００４８】
なお、ディスプレイパネル２１０は、液晶のディスプレイパネルに限らず、有機ＥＬ(Electroluminescence)ディスプレイパネルであってもよく、プラズマディスプレイパネルであってもよい。また、表示装置２００の代わりに、プロジェクター装置から画像が投影されるスクリーンを用いてもよく、電子機器１００とは独立して設けられる、様々な形式の画像表示装置であってよい。
【００４９】
また、ここでは、表示装置２００のディスプレイパネル２１０が、電子機器１００のディスプレイパネル１６０と同一内容の画像を表示する形態について説明する。ディスプレイパネル２１０が表示する画像の中におけるポインタ２１１の位置は、電子機器１００のディスプレイパネル１６０が表示する画像の中におけるポインタの位置と等しい。
【００５０】
しかしながら、ディスプレイパネル２１０が表示する画像は、電子機器１００のディスプレイパネル１６０と完全に同一の画像ではなくてもよい。例えば、ディスプレイパネル１６０が表示する画像の一部をディスプレイパネル２１０に表示してもよい。
【００５１】
また、ディスプレイパネル１６０が表示する画像に含まれる一部のデータを省いてもよい。例えば、ディスプレイパネル１６０に表示される時刻等のデータを省いてディスプレイパネル２１０に表示してもよい。
【００５２】
また、これとは逆に、ディスプレイパネル１６０が表示する画像に対して、データを追加した画像をディスプレイパネル２１０に表示してもよい。例えば、電子機器１００の利用者の名前（実名）、ハンドルネーム、又はＩＤ(Identification)等を表すデータ追加した画像をディスプレイパネル２１０に表示してもよい。
【００５３】
ディスプレイパネル２１０は、ディスプレイパネル１６０に表示されるＧＵＩ部品とポインタとの相対位置関係を保持して、ＧＵＩ部品とポインタ２１１を表示することができるものであればよい。
【００５４】
次に、図５を用いて、入力支援システム３００のより詳細なハードウェア構成について説明する。
【００５５】
図５は、入力支援システム３００のより詳細なハードウェア構成を示す図である。電子機器１００及び表示装置２００は、入力支援システム３００を構築する。
【００５６】
電子機器１００は、制御部１４０を含む。図５では電子機器１００の構成要素のうちの制御部１４０以外を省略して示す。制御部１４０は、図３に示す筐体１１０の内部に配設される。
【００５７】
制御部１４０は、第１制御部の一例であり、ＣＰＵ(Central Processing Unit)１４１、ディスプレイインターフェース１４２、タッチパネルインターフェース１４３、無線通信インターフェース１４４、バス１４５、ＲＡＭ(Random Access Memory)１４６、内蔵ストレージ１４７、及び記憶媒体１４８を含む。
【００５８】
ＣＰＵ１４１は、電子機器１００の動作に伴う処理を行う演算処理部である。ＣＰＵ１４１は、バス１４５によって、ディスプレイインターフェース１４２、タッチパネルインターフェース１４３、無線通信インターフェース１４４、バス１４５、ＲＡＭ１４６、内蔵ストレージ１４７、及び記憶媒体１４８に接続されている。
【００５９】
ＣＰＵ１４１は、アプリケーションプロセッサ１４１Ａを有する。アプリケーションプロセッサ１４１Ａは、オペレーティングシステム（ＯＳ：Operating System)を実行するとともに、電子機器１００の種々のアプリケーションを実行する処理を行う。また、アプリケーションプロセッサ１４１Ａは、ポインタ制御部１４１Ｂを有する。なお、ＣＰＵ１４１は、アプリケーションプロセッサ１４１Ａの他に、ベースバンドプロセッサ及びメモリコントローラ等を含むが、ここでは省略する。
【００６０】
ポインタ制御部１４１Ｂは、タッチパネル１５０のホバリング機能による出力に応じて、ディスプレイパネル１６０に表示するポインタの位置を制御する。このようなポインタ制御部１４１Ｂは、例えば、ＯＳの１つの機能として実現される。
【００６１】
ポインタ制御部１４１Ｂは、トップパネル１２０に触れることなく近づけられた指先の位置を検出し、指先の位置をディスプレイパネル１６０に投影した位置に、ポインタを表示する。
【００６２】
タッチパネル１５０がホバリング機能によって検出する指先の位置の座標（Ｘ１，Ｙ１，Ｚ１）であるときに、ポインタ制御部１４１Ｂは、ディスプレイパネル１６０の座標（Ｘ１，Ｙ１）にポインタを表示する。
【００６３】
利用者の指先がトップパネル１２０に非接触で近接しているときにタッチパネル１５０がホバリング機能によって検出する指先の位置の座標（Ｘ１，Ｙ１，Ｚ１）を表すデータと、利用者の指先がトップパネル１２０に接触しているときにタッチパネル１５０が検出する指先の位置の座標を表すデータとは、静電容量の変化の度合が異なる。
【００６４】
このため、例えば、電子機器１００にインストールされるＯＳが静電容量の変化の度合の閾値を用いれば、ホバリング機能によって検出する指先の位置の座標を表すデータと、利用者の指先がトップパネル１２０に接触しているときにタッチパネル１５０が検出する指先の位置の座標を表すデータとを区別することができる。
【００６５】
ポインタ制御部１４１Ｂは、タッチパネル１５０がホバリング機能によって検出する指先の位置の座標（Ｘ１，Ｙ１，Ｚ１）を表すデータを用いて、Ｚ座標が所定値以下になったときに、ディスプレイパネル１６０にポインタを表示する。すなわち、ポインタ制御部１４１Ｂによってディスプレイパネル１６０にポインタが表示されるのは、指先がトップパネル１２０にある程度近づいた（Ｚ座標が所定値以下になった）ときである。
【００６６】
ここで、トップパネル１２０に触れることなく（非接触で）指先を近づけることは、ディスプレイパネル１６０にポインタを表示するための操作になるため、近接操作と称す。近接操作による指先の位置の座標（Ｘ，Ｙ，Ｚ）は、タッチパネル１５０のホバリング機能によって検出される。
【００６７】
近接操作によってディスプレイパネル１６０に表示されるポインタについては、図６を用いて後述する。
【００６８】
ディスプレイインターフェース１４２には、図２及び図３に示すディスプレイパネル１６０が接続される。タッチパネルインターフェース１４３には、図２及び図３に示すタッチパネル１５０が接続される。また、無線通信インターフェース１４４には、ＲＦ(Radio Frequency)トランシーバ等の通信系のデバイス等が接続される。
【００６９】
ＲＡＭ１４６は、ＣＰＵ１４１のメインメモリである。ＲＡＭ１４６には、例えば、ＣＰＵ１４１が実行するプログラムが展開される。内蔵ストレージ１４７は、電子機器１００の動作に必要なデータ又はプログラムを格納するメモリであり、書き換え可能な記憶媒体である。記憶媒体１４８は、電子機器１００の動作に必要なオペレーティングシステム（ＯＳ）、アプリケーションプログラム、及びデータファイル等を格納するメモリである。
【００７０】
表示装置２００は、ディスプレイパネル２１０、ＣＰＵチップ２２１、無線通信インターフェース２２２、及びバス２２３を含む。ＣＰＵチップ２２１は、バス２２３を通じて、ディスプレイパネル２１０と無線通信インターフェース２２２に接続される。
【００７１】
このようなハードウェア構成を有する電子機器１００と表示装置２００は、無線通信インターフェース１４４及び２２２を介してデータ通信を行う。なお、ここでは、電子機器１００と表示装置２００が、無線通信インターフェース１４４及び２２２を介してデータ通信を行う形態について説明するが、電子機器１００と表示装置２００は、例えば、ＵＳＢ(Universal Serial Bus)ケーブルを介して接続されることにより、有線でのデータ通信を行う構成であってもよい。
【００７２】
ＣＰＵチップ２２１は、無線通信インターフェース２２２を介して電子機器１００から受信する画像データをディスプレイパネル２１０に表示する。これにより、表示装置２００のディスプレイパネル２１０には、電子機器１００のディスプレイパネル１６０と同一の画像が表示される。
【００７３】
次に、図６及び図７を用いて、電子機器１００のディスプレイパネル１６０に表示されるポインタ１６１と、表示装置２００のディスプレイパネル２１０に表示されるポインタ２１１について説明する。
【００７４】
図６及び図７は、電子機器１００及び表示装置２００の動作を説明する図である。
【００７５】
図６には、利用者の指先がトップパネル１２０に非接触で近づいており、平面視でアイコン１８１と１８２の間に位置している状態を示す。このとき、指先がトップパネル１２０にある程度近づく（Ｚ座標が所定値以下になる）と、ポインタ制御部１４１Ｂは、ディスプレイパネル１６０にポインタ１６１を表示する。図６には、ポインタ１６１の大部分が指先に隠れて左端の一部分のみが見えている状態を示す。
【００７６】
図６に示すように電子機器１００のディスプレイパネル１６０にポインタ１６１が表示されているときに、表示装置２００のディスプレイパネル２１０の表示は、図７に示すようになる。
【００７７】
図７に示すように、表示装置２００のディスプレイパネル２１０には、電子機器１００のディスプレイパネル１６０に表示される画像と同一の画像が表示される。アイコン２８１と２８２は、それぞれ、電子機器１００のディスプレイパネル１６０に表示されるアイコン１８１と１８２と同一である。アイコン１８１と１８２以外のアイコンについても、同一のものが表示される。そして、アイコン２８１と２８２の間には、ポインタ２１１が表示される。ポインタ２１１は、ディスプレイパネル１６０に表示されるポインタ１６１と同一である。
【００７８】
表示装置２００のディスプレイパネル２１０に表示されるアイコン２８１、２８２、その他のアイコン、及びポインタ２１１の位置関係は、すべて、電子機器１００のディスプレイパネル１６０に表示されるアイコン１８１、１８２、その他のアイコン、及びポインタ１６１の位置関係と同一である。
【００７９】
すなわち、表示装置２００のディスプレイパネル２１０には、電子機器１００のディスプレイパネル１６０に表示されるアイコン１８１、１８２、その他のアイコン、及びポインタ１６１の相対位置関係を保持して、アイコン２８１、２８２、その他のアイコン、及びポインタ２１１が表示される。
【００８０】
従って、図４に示すように電子機器１００を手に持っている利用者が、指先をトップパネル１２０に接触させずに近づけると、ポインタ制御部１４１Ｂがディスプレイパネル１６０にポインタ１６１を表示し、表示装置２００がディスプレイパネル２１０にポインタ２１１を表示する。
【００８１】
このため、利用者が、電子機器１００のディスプレイパネル１６０を見ずに、表示装置２００のディスプレイパネル２１０を見ながら、手元の電子機器１００のトップパネル１２０に指先を近づけると、利用者は、トップパネル１２０に接触していない指先の位置をディスプレイパネル２１０に表示されるポインタ２１１の位置で認識することができる。
【００８２】
そして、利用者がトップパネル１２０に指先を接触させて操作入力を行うと、アプリケーションプロセッサ１４１Ａがタッチパネル１５０によって検出される操作入力の位置の座標に基づいて、操作入力（タッチ）によって指定されたアプリケーションを実行する。例えば、ゲームのアイコンがタッチされた場合は、ゲームのアプリケーションが実行される。
【００８３】
次に、図８を用いて、アプリケーションプロセッサ１４１Ａによって実行される処理について説明する。
【００８４】
図８は、アプリケーションプロセッサ１４１Ａが実行する処理を示すフローチャートである。
【００８５】
アプリケーションプロセッサ１４１Ａは、無線通信インターフェース１４４を介して、表示装置２００と無線通信で接続する（ステップＳ１）。
【００８６】
アプリケーションプロセッサ１４１Ａは、ディスプレイパネル１６０に表示している画像のデータを表示装置２００に送信する（ステップＳ２）。
【００８７】
アプリケーションプロセッサ１４１Ａは、近接操作による指先の位置の座標（Ｘ，Ｙ，Ｚ）を表すデータがタッチパネル１５０から入力されたかどうかを判定する（ステップＳ３）。利用者の指先がトップパネル１２０に近づいているかどうかを判定するためである。ステップＳ３の処理は、アプリケーションプロセッサ１４１Ａの中のポインタ制御部１４１Ｂによって実行される。
【００８８】
アプリケーションプロセッサ１４１Ａは、近接操作による座標（Ｘ，Ｙ，Ｚ）のデータがタッチパネル１５０から入力された（Ｓ３：ＹＥＳ）と判定すると、Ｚ座標が所定値以下であるかどうかを判定する（ステップＳ４）。所定値は、例えば、５ｍｍである。ステップＳ４の処理は、アプリケーションプロセッサ１４１Ａの中のポインタ制御部１４１Ｂによって実行される。
【００８９】
アプリケーションプロセッサ１４１Ａは、Ｚ座標が所定値以下である（Ｓ４：ＹＥＳ）と判定すると、ディスプレイパネル１６０にポインタ１６１を表示する（ステップＳ５）。なお、既にポインタ１６１をディスプレイパネル１６０に表示している場合は、アプリケーションプロセッサ１４１Ａは、ステップＳ５において、ポインタ１６１をディスプレイパネル１６０に表示している状態を保持する。ステップＳ５の処理は、アプリケーションプロセッサ１４１Ａの中のポインタ制御部１４１Ｂによって実行される。
【００９０】
アプリケーションプロセッサ１４１Ａは、タッチパネル１５０の出力に基づき、操作入力（タッチ）が行われているかどうかを判定する（ステップＳ６）。アプリケーションプロセッサ１４１Ａは、タッチパネル１５０の出力が、利用者の指先がトップパネル１２０に接触しているときにタッチパネル１５０が検出する指先の位置の座標を表すデータであるかどうかを判定することによってステップＳ６の判定を行う。
【００９１】
アプリケーションプロセッサ１４１Ａは、操作入力（タッチ）が行われている（Ｓ６：ＹＥＳ）と判定すると、操作入力（タッチ）が行われた位置の座標に基づいて、所定の処理を行い、ディスプレイパネル１６０に表示する画像を更新する（ステップＳ７）。
【００９２】
所定の処理は、例えば、アプリケーションの実行、又は、実行中のアプリケーションにおける操作入力（タッチ）に対応する処理（ＧＵＩ部品の表示又は移動等）である。
【００９３】
アプリケーションプロセッサ１４１Ａは、すべての処理が終了したかどうかを判定する（ステップＳ８）。
【００９４】
すべての処理が終了したかどうかは、例えば、電源ボタンの操作によって、あるいは、近接操作及び操作入力が所定時間以上行われないことによって、電子機器１００がスリープモードになるかどうかで判定すればよい。また、電源ボタンの長押しによって電子機器１００の電源がオフにされた場合にも、すべての処理が終了したと判定してよい。
【００９５】
アプリケーションプロセッサ１４１Ａは、すべての処理が終了した（Ｓ８：ＹＥＳ）と判定すると、表示装置２００との無線通信を切断する（ステップＳ９）。
【００９６】
アプリケーションプロセッサ１４１Ａは、ステップＳ９の処理を終えると、一連の処理を終了する（エンド）。
【００９７】
なお、アプリケーションプロセッサ１４１Ａは、ステップＳ３において、近接操作による座標（Ｘ，Ｙ，Ｚ）のデータがタッチパネル１５０から入力されていない（Ｓ３：ＮＯ）と判定すると、フローをステップＳ２にリターンする。ディスプレイパネル１６０に表示している画像のデータを表示装置２００に送信するためである。
【００９８】
また、アプリケーションプロセッサ１４１Ａは、ステップＳ４において、Ｚ座標が所定値以下ではない（Ｓ４：ＮＯ）と判定すると、ディスプレイパネル１６０にポインタ１６１を表示しているかどうかを判定する（ステップＳ１０）。ポインタ１６１を表示している場合にＺ座標が所定値以下ではないときには、ポインタ１６１を非表示にするためである。ステップＳ１０の処理は、アプリケーションプロセッサ１４１Ａの中のポインタ制御部１４１Ｂによって実行される。
【００９９】
アプリケーションプロセッサ１４１Ａは、ポインタ１６１を表示している（Ｓ１０：ＹＥＳ）と判定すると、ポインタ１６１を非表示にする（ステップＳ１１）。Ｚ座標が所定値よりも大きい位置に指先が遠ざかったので、ポインタ１６１を非表示にする。ステップＳ１１の処理は、アプリケーションプロセッサ１４１Ａの中のポインタ制御部１４１Ｂによって実行される。
【０１００】
アプリケーションプロセッサ１４１Ａは、ステップＳ１１の処理を終えると、フローをステップＳ２にリターンする。ディスプレイパネル１６０に表示している画像のデータを表示装置２００に送信するためである。
【０１０１】
また、アプリケーションプロセッサ１４１Ａは、ディスプレイパネル１６０にポインタ１６１を表示していない（Ｓ１０：ＮＯ）と判定すると、フローをステップＳ２にリターンする。
【０１０２】
アプリケーションプロセッサ１４１Ａは、ステップＳ６において、操作入力（タッチ）が行われていない（Ｓ６：ＮＯ）と判定すると、フローをステップＳ２にリターンする。ディスプレイパネル１６０に表示している画像のデータを表示装置２００に送信するためである。
【０１０３】
アプリケーションプロセッサ１４１Ａは、ステップＳ８において、すべての処理が終了していない（Ｓ８：ＮＯ）と判定すると、フローをステップＳ２にリターンする。ディスプレイパネル１６０に表示している画像のデータを表示装置２００に送信するためである。
【０１０４】
以上、実施の形態１によれば、利用者が指先をトップパネル１２０に接触させずに近づけると、ディスプレイパネル１６０にポインタ１６１が表示され、表示装置２００のディスプレイパネル２１０にポインタ２１１が表示される。ディスプレイパネル２１０の表示内容は、ディスプレイパネル１６０の表示内容と同一であり、ポインタ２１１は、ディスプレイパネル１６０のポインタ１６１をディスプレイパネル２１０に表示したものである。
【０１０５】
ポインタ１６１は、手の陰になるため利用者にとって見えにくいが、利用者の眼前に配置される表示装置２００のディスプレイパネル２１０に表示されるポインタ２１１は、利用者にとっては非常に見えやすいものである。
【０１０６】
このため、利用者が手元の電子機器１００に操作入力を行う前に、トップパネル１２０に指先を接触させずに近づけているときに、指先の位置をポインタ２１１で容易かつ正確に認識することができる。
【０１０７】
従って、実施の形態１によれば、操作性の良好な入力支援システム３００、及び、電子機器１００を提供することができる。
【０１０８】
例えば、電子機器１００でゲームのアプリケーションを実行する場合に入力支援システム３００を利用すれば、電子機器１００を入力装置として利用し、非接触の状態でトップパネル１２０に近づけた指先の位置を表示装置２００で認識できるので、非常に新しい感覚でゲームを楽しむことができる。
【０１０９】
また、ゲーム以外の用途で電子機器１００を利用するときでも、操作入力（タッチ）を行う前に、指先の位置を把握できるので、ミスタッチを抑制することができ、より簡単かつ確実な操作入力（タッチ）が可能になる。
【０１１０】
なお、以上では、表示装置２００のディスプレイパネル２１０が非常に大きい形態について説明したが、ディスプレイパネル２１０の大きさは、電子機器１００のディスプレイパネル１６０と等しくてもよく、どのようなサイズであってもよい。
【０１１１】
また、以上では、電子機器１００と表示装置２００を無線通信で接続する形態について説明したが、電子機器１００と表示装置２００を有線通信で接続してもよい。
【０１１２】
また、以上では、入力支援システム３００が電子機器１００と表示装置２００を含む形態について説明した。表示装置２００は、一例として、１００インチのディスプレイパネル２１０を含む大画面モニタである。
【０１１３】
しかしながら、表示装置２００の代わりに、利用者が頭部に装着するヘッドマウントディスプレイを用いてもよい。
【０１１４】
図９は、ヘッドマウントディスプレイ１０を示す図である。ヘッドマウントディスプレイ１０は、フレーム１１及びディスプレイパネル１２を有する。ヘッドマウントディスプレイ１０を装着している利用者は、頭部にフレーム１１を装着し、眼前に配置されるディスプレイパネル１２を見る。
【０１１５】
ディスプレイパネル１２には、利用者の手元にある電子機器１００のディスプレイパネル１６０に表示される画像と同一の画像が表示される。ヘッドマウントディスプレイ１０を装着した状態では、利用者は、手元の電子機器１００のディスプレイパネル１６０を見ることはできず、電子機器１００に対して近接操作又を行いながら、ディスプレイパネル１２に表示されるポインタを見て、操作入力を行う。
【０１１６】
利用者が手元の電子機器１００に操作入力を行う前に、トップパネル１２０に指先を接触させずに近づけているときに、指先の位置をディスプレイパネル１２に表示されるポインタで容易かつ正確に認識することができる。
【０１１７】
従って、実施の形態１の変形例によれば、表示装置２００の代わりに、利用者が頭部に装着するヘッドマウントディスプレイを用いることにより、操作性の良好な入力支援システム、及び、電子機器１００を提供することができる。
【０１１８】
＜実施の形態２＞
図１０は、実施の形態２の入力支援システム３００Ａを示す図である。入力支援システム３００Ａは、電子機器１００Ａ、１００Ｂ、１００Ｃと、表示装置２００とを含む。なお、図１０では、電子機器１００Ａ、１００Ｂ、１００Ｃと、表示装置２００とのブロック図で示す。
【０１１９】
電子機器１００Ａは、実施の形態１の電子機器１００と基本的に同様であるが、電子機器１００Ｂ、１００Ｃを従属化させるための機能が追加されている。
【０１２０】
電子機器１００Ｂ、１００Ｃは、電子機器１００Ａと同様の電子機器であるが、ここでは、電子機器１００Ｂ、１００Ｃは電子機器１００Ａに従属し、サブの電子機器として利用される。
【０１２１】
電子機器１００Ａは、実施の形態１の電子機器１００と同様に、表示装置２００と無線通信で接続される。また、電子機器１００Ａは、電子機器１００Ｂ、１００Ｃとも無線通信で接続される。電子機器１００Ａの無線通信インターフェース１４４と、電子機器１００Ｂ、１００Ｃの無線通信インターフェース１４４とを無線通信で接続することにより、電子機器１００Ａと、電子機器１００Ｂ、１００Ｃとが無線通信で接続される。
【０１２２】
電子機器１００Ａは、電子機器１００Ａのディスプレイパネル１６０に表示される画像を電子機器１００Ｂ、１００Ｃに送信する。電子機器１００Ｂ、１００Ｃのディスプレイパネル１６０には、電子機器１００Ａのディスプレイパネル１６０に表示される画像と同一の画像が表示される。
【０１２３】
電子機器１００Ｂ、１００Ｃのタッチパネル１５０がホバリング機能によって検出する指先の位置の座標を表すデータは、電子機器１００Ａに送信される。電子機器１００Ａのアプリケーションプロセッサ１４１Ａは、電子機器１００Ｂ、１００Ｃに行われる近接操作の指先の位置の座標を表すデータのＺ座標が所定値以下であれば、電子機器１００Ａのディスプレイパネル１６０に、電子機器１００Ｂ、１００Ｃのポインタを表示する。
【０１２４】
また、電子機器１００Ａは、電子機器１００Ｂ、１００Ｃのポインタを含む画像のデータを電子機器１００Ｂ、１００Ｃに送信する。この結果、電子機器１００Ｂ、１００Ｃのディスプレイパネル１６０に、電子機器１００Ｂ、１００Ｃに対して行われる近接操作による指先の位置に対応するポインタが表示される。
【０１２５】
ここで、例えば、電子機器１００Ｂに対して近接操作が行われて、電子機器１００Ｃに対して近接操作が行われていない場合には、電子機器１００Ｂに行われている近接操作による指先の位置を表すデータが電子機器１００Ａに送信される。
【０１２６】
そして、電子機器１００Ａは、電子機器１００Ｂに行われている近接操作の位置のＺ座標が所定値以下であれば、電子機器１００Ａのディスプレイパネル１６０に、電子機器１００Ｂに行われている近接操作の位置を表すポインタを表示する。
【０１２７】
また、電子機器１００Ａは、自己のディスプレイパネル１６０に表示されている画像のデータを電子機器１００Ｂ、１００Ｃに送信する。この結果、電子機器１００Ｂ、１００Ｃのディスプレイパネル１６０にも、電子機器１００Ｂに行われている近接操作の位置を表すポインタが表示される。
【０１２８】
また、電子機器１００Ｃに対して近接操作が行われて、電子機器１００Ｂに対して近接操作が行われていない場合においても、同様の処理が行われ、電子機器１００Ａ、１００Ｂ、１００Ｃのディスプレイパネル１６０に、電子機器１００Ｃに行われている近接操作の位置を表すポインタが表示される。
【０１２９】
なお、電子機器１００Ａについては、トップパネル１２０は第１トップパネルの一例であり、タッチパネル１５０は第１位置検出部の一例であり、ディスプレイパネル１６０は第１表示部の一例である。電子機器１００Ａの利用者は、第１利用者の一例である。
【０１３０】
電子機器１００Ｂについては、トップパネル１２０は第２トップパネルの一例であり、タッチパネル１５０は第２位置検出部の一例であり、ディスプレイパネル１６０は第２表示部の一例である。電子機器１００Ｂの利用者は、第２利用者の一例である。
【０１３１】
電子機器１００Ｃについては、トップパネル１２０は第２トップパネルの一例であり、タッチパネル１５０は第２位置検出部の一例であり、ディスプレイパネル１６０は第２表示部の一例である。電子機器１００Ｃの利用者は、第２利用者の一例である。
【０１３２】
図１１は、実施の形態２の電子機器１００ＡのＲＡＭ１４６が保持するデータの一部を示す図である。
【０１３３】
図１１に示すデータは、電子機器１００Ｂ、１００Ｃの近接操作の指先の位置の座標を表すデータであり、電子機器１００ＡのＲＡＭ１４６が保持するデータである。
【０１３４】
ＩＤ(Identification)は、電子機器１００Ａが電子機器１００Ｂ、１００Ｃに割り当てる識別子である。電子機器１００Ａは、従属化する電子機器１００Ｂ、１００ＣにＩＤを割り当てる。ここでは、一例として、電子機器１００Ｂ、１００ＣのＩＤは、それぞれ、０、１である。電子機器１００Ａは、従属化するサブの電子機器がｎ（ｎは１以上の任意の自然数）台ある場合は、ＩＤを０から順番に割り当てる。サブの電子機器がｎ台ある場合のＩＤの値ｉは、ｉ＝０〜ｎ−１である。
【０１３５】
また、電子機器１００Ａは、電子機器１００Ｂ、１００Ｃの近接操作の位置の座標を表すデータをＩＤと関連付けて保持する。ここでは、一例として、電子機器１００Ｂ、１００Ｃの近接操作の位置の座標は、それぞれ、（Ｘ２，Ｙ２，Ｚ２）、（Ｘ３，Ｙ３，Ｚ３）である。
【０１３６】
電子機器１００Ａは、電子機器１００Ｂ、１００Ｃの近接操作の位置の座標を表すデータを電子機器１００Ｂ、１００Ｃから受信する度に更新する。電子機器１００Ｂ、１００Ｃの近接操作の位置の座標のうちのＺ座標が所定値以下であれば、電子機器１００Ａのディスプレイパネル１６０にポインタを表示し、自己のディスプレイパネル１６０に表示する画像のデータを電子機器１００Ｂ、１００Ｃに送信する。
【０１３７】
図１２は、電子機器１００Ａ、１００Ｂ、１００Ｃの近接操作によるポインタ１６１Ａ、１６１Ｂ、１６１Ｃを示す図である。図１３は、表示装置２００のディスプレイパネル２１０に表示されるポインタ２１１Ａ、２１１Ｂ、２１１Ｃを示す図である。
【０１３８】
図１２及び図１３には、電子機器１００Ａ、１００Ｂ、１００Ｃを利用する３人の利用者が、自分の操作するキャラクタを風景のどこに設置しようか近接操作で検討している状態の画像を示す。
【０１３９】
図１２に示すように、例えば、ゲームのアプリケーションを実行しているときに、ポインタ１６１Ａ、１６１Ｂ、１６１Ｃを表示すれば、電子機器１００Ａ、１００Ｂ、１００Ｃをそれぞれ利用する３人の利用者は、お互いに近接操作でどの辺りに操作入力（タッチ）を行おうとしているのかが分かる。このため、電子機器１００Ａ、１００Ｂ、１００Ｃの利用価値が飛躍的に高まる。
【０１４０】
次に、図１４を用いて、電子機器１００Ｂのアプリケーションプロセッサ１４１Ａによって実行される処理について説明する。電子機器１００Ｂのアプリケーションプロセッサ１４１Ａと、電子機器１００Ｃのアプリケーションプロセッサ１４１Ａとは同一の処理を実行するため、ここでは、電子機器１００Ｂのアプリケーションプロセッサ１４１Ａが実行する処理について説明する。
【０１４１】
図１４は、電子機器１００Ｂのアプリケーションプロセッサ１４１Ａが実行する処理を示すフローチャートである。
【０１４２】
アプリケーションプロセッサ１４１Ａは、無線通信インターフェース１４４を介して、電子機器１００Ａと無線で接続する（ステップＳ２１）。
【０１４３】
アプリケーションプロセッサ１４１Ａは、電子機器１００Ａから、電子機器１００Ａのディスプレイパネル１６０に表示している画像のデータを受信し、自己のディスプレイパネル１６０に表示する（ステップＳ２２）。
【０１４４】
アプリケーションプロセッサ１４１Ａは、タッチパネル１５０がホバリング機能によって検出する指先の位置の座標（Ｘ２，Ｙ２，Ｚ２）を表すデータがタッチパネル１５０から入力されたかどうかを判定する（ステップＳ２３）。利用者が近接操作を行っているかどうかを判定するためである。ステップＳ２３の処理は、アプリケーションプロセッサ１４１Ａの中のポインタ制御部１４１Ｂによって実行される。
【０１４５】
アプリケーションプロセッサ１４１Ａは、近接操作による指先の位置の座標（Ｘ２，Ｙ２，Ｚ２）のデータがタッチパネル１５０から入力された（Ｓ２３：ＹＥＳ）と判定すると、座標（Ｘ２，Ｙ２，Ｚ２）を表すデータを電子機器１００Ａに送信する（ステップＳ２４）。
【０１４６】
アプリケーションプロセッサ１４１Ａは、無線通信が切断されたかどうかを判定する（ステップＳ２５）。
【０１４７】
アプリケーションプロセッサ１４１Ａは、無線通信が切断された（Ｓ２５：ＹＥＳ）と判定すると、一連のフローを終了する（エンド）。
【０１４８】
アプリケーションプロセッサ１４１Ａは、無線通信が切断されてない（Ｓ２５：ＮＯ）と判定すると、フローをステップＳ２２にリターンする。電子機器１００Ａのディスプレイパネル１６０に表示している画像のデータを自己のディスプレイパネル１６０に表示するためである。
【０１４９】
また、アプリケーションプロセッサ１４１Ａは、ステップＳ２３において、座標（Ｘ２，Ｙ２，Ｚ２）のデータがタッチパネル１５０から入力されていない（Ｓ２３：ＮＯ）と判定すると、フローをステップＳ２２にリターンする。電子機器１００Ａのディスプレイパネル１６０に表示している画像のデータを自己のディスプレイパネル１６０に表示するためである。
【０１５０】
以上のような処理により、電子機器１００Ｂのアプリケーションプロセッサ１４１Ａは、近接操作による指先の位置の座標（Ｘ２，Ｙ２，Ｚ２）のデータを取得し、電子機器１００Ａに送信する。
【０１５１】
次に、図１５を用いて、電子機器１００Ａのアプリケーションプロセッサ１４１Ａによって実行される処理について説明する。
【０１５２】
図１５は、電子機器１００Ａのアプリケーションプロセッサ１４１Ａが実行する処理を示すフローチャートである。
【０１５３】
アプリケーションプロセッサ１４１Ａは、無線通信インターフェース１４４を介して、表示装置２００と無線通信で接続する（ステップＳ３１）。
【０１５４】
アプリケーションプロセッサ１４１Ａは、無線通信インターフェース１４４を介して、サブの電子機器と無線通信で接続する（ステップＳ３２）。ここでは、電子機器１００Ｂ、１００Ｃと接続されたこととする。なお、サブの電子機器の数は、幾つであってもよい。
【０１５５】
アプリケーションプロセッサ１４１Ａは、サブの電子機器にＩＤを割り当て、サブの電子機器にＩＤを表すデータを送信する（ステップＳ３３）。ここでは、電子機器１００Ｂ、１００Ｃに、ＩＤとして００１、００２をそれぞれ割り当てて、ＩＤを表すデータを電子機器１００Ｂ、１００Ｃに送信したこととする。
【０１５６】
なお、電子機器１００Ｂ、１００ＣにＩＤを割り当てる前に無線通信を行う段階では、電子機器１００Ｂ、１００Ｃの固有の識別子を利用して、電子機器１００Ｂと１００Ｃの違いを認識することができる。電子機器１００Ｂ、１００Ｃに割り当てるＩＤと、電子機器１００Ｂ、１００Ｃの固有の識別子とを関連付けたデータを、電子機器１００Ａの内部メモリに補間しておけばよい。
【０１５７】
アプリケーションプロセッサ１４１Ａは、ディスプレイパネル１６０に表示している画像のデータを表示装置２００と電子機器１００Ｂ、１００Ｃに送信する（ステップＳ３４）。
【０１５８】
アプリケーションプロセッサ１４１Ａは、タッチパネル１５０がホバリング機能によって検出する指先の位置の座標（Ｘ，Ｙ，Ｚ）を表すデータがタッチパネル１５０から入力されたかどうかを判定する（ステップＳ３５）。利用者の指先がトップパネル１２０に近づいているかどうかを判定するためである。ステップＳ３５の処理は、アプリケーションプロセッサ１４１Ａの中のポインタ制御部１４１Ｂによって実行される。
【０１５９】
アプリケーションプロセッサ１４１Ａは、ホバリング機能による座標（Ｘ，Ｙ，Ｚ）のデータがタッチパネル１５０から入力された（Ｓ３５：ＹＥＳ）と判定すると、Ｚ座標が所定値以下であるかどうかを判定する（ステップＳ３６）。所定値は、例えば、５ｍｍである。ステップＳ４の処理は、アプリケーションプロセッサ１４１Ａの中のポインタ制御部１４１Ｂによって実行される。
【０１６０】
アプリケーションプロセッサ１４１Ａは、Ｚ座標が所定値以下である（Ｓ３６：ＹＥＳ）と判定すると、ディスプレイパネル１６０にポインタ１６１Ａを表示する（ステップＳ３７）。なお、既にポインタ１６１Ａをディスプレイパネル１６０に表示している場合は、アプリケーションプロセッサ１４１Ａは、ステップＳ３７において、ポインタ１６１Ａをディスプレイパネル１６０に表示している状態を保持する。ステップＳ３７の処理は、アプリケーションプロセッサ１４１Ａの中のポインタ制御部１４１Ｂによって実行される。
【０１６１】
アプリケーションプロセッサ１４１Ａは、タッチパネル１５０の出力に基づき、操作入力（タッチ）が行われているかどうかを判定する（ステップＳ３８）。アプリケーションプロセッサ１４１Ａは、タッチパネル１５０の出力が、利用者の指先がトップパネル１２０に接触しているときにタッチパネル１５０が検出する指先の位置の座標を表すデータであるかどうかを判定することによってステップＳ３８の判定を行う。
【０１６２】
アプリケーションプロセッサ１４１Ａは、操作入力（タッチ）が行われている（Ｓ３８：ＹＥＳ）と判定すると、操作入力（タッチ）が行われた位置の座標に基づいて、所定の処理を行い、ディスプレイパネル１６０に表示する画像を更新する（ステップＳ３９）。
【０１６３】
所定の処理は、例えば、アプリケーションの実行、又は、実行中のアプリケーションにおける操作入力（タッチ）に対応する処理（ＧＵＩ部品の表示又は移動等）である。
【０１６４】
なお、アプリケーションプロセッサ１４１Ａは、ステップＳ３５において、近接操作による座標（Ｘ，Ｙ，Ｚ）のデータがタッチパネル１５０から入力されていない（Ｓ３５：ＮＯ）と判定すると、フローをステップＳ４０に進行させる。
【０１６５】
また、アプリケーションプロセッサ１４１Ａは、ステップＳ３６において、Ｚ座標が所定値以下ではない（Ｓ３６：ＮＯ）と判定した場合と、ステップＳ３８において、操作入力（タッチ）が行われていない（Ｓ３８：ＹＥＳ）と判定した場合にも、フローをステップＳ４０に進行させる。
【０１６６】
これらの場合に、フローをステップＳ４０に進行させるのは、サブの電子機器１００Ｂ、１００Ｃから受信する近接操作の位置の座標に基づいて、ポインタ１６１Ｂ、１６１Ｃを表示するための処理を行うためである。
【０１６７】
アプリケーションプロセッサ１４１Ａは、近接操作の座標のデータを受信する電子機器のＩＤの値ｉを０に設定する（ステップＳ４０）。ＩＤが０のサブの電子機器から順番に近接操作の座標のデータを受信するためである。
【０１６８】
アプリケーションプロセッサ１４１Ａは、ＩＤがｉのサブの電子機器から、近接操作の指先の座標（Ｘ，Ｙ，Ｚ）を表すデータを受信したかどうかを判定する（ステップＳ４１）。
【０１６９】
利用者の指先がトップパネル１２０に近づいているかどうかを判定するためである。ステップＳ４１の処理は、アプリケーションプロセッサ１４１Ａの中のポインタ制御部１４１Ｂによって実行される。
【０１７０】
アプリケーションプロセッサ１４１Ａは、近接操作の指先の座標（Ｘ，Ｙ，Ｚ）を表すデータを受信した（Ｓ４１：ＹＥＳ）と判定すると、Ｚ座標の値が所定値以下であるかどうかを判定する（ステップＳ４２）。ここでは、所定値は、一例として、５ｍｍである。ステップＳ４１の処理は、アプリケーションプロセッサ１４１Ａの中のポインタ制御部１４１Ｂによって実行される。
【０１７１】
アプリケーションプロセッサ１４１Ａは、Ｚ座標が所定値以下である（Ｓ４２：ＹＥＳ）と判定すると、ディスプレイパネル１６０にＩＤがｉのサブの電子機器のポインタを表示する（ステップＳ４３）。
【０１７２】
なお、例えば、既に電子機器１００Ｂのポインタ１６１Ｂをディスプレイパネル１６０に表示している場合に、ステップＳ４３でポインタ１６１Ｂを表示すると判定した場合は、アプリケーションプロセッサ１４１Ａは、ポインタ１６１Ｂをディスプレイパネル１６０に表示している状態を保持する。ステップＳ４３の処理は、アプリケーションプロセッサ１４１Ａの中のポインタ制御部１４１Ｂによって実行される。
【０１７３】
アプリケーションプロセッサ１４１Ａは、ＩＤがｉのサブの電子機器のタッチパネル１５０の出力に基づき、操作入力（タッチ）が行われているかどうかを判定する（ステップＳ４４）。アプリケーションプロセッサ１４１Ａは、ＩＤがｉのサブの電子機器のタッチパネル１５０の出力が、利用者の指先がトップパネル１２０に接触しているときにタッチパネル１５０が検出する指先の位置の座標を表すデータであるかどうかを判定することによってステップＳ４４の判定を行う。
【０１７４】
アプリケーションプロセッサ１４１Ａは、操作入力（タッチ）が行われている（Ｓ４４：ＹＥＳ）と判定すると、操作入力（タッチ）が行われた位置の座標に基づいて、所定の処理を行い、ディスプレイパネル１６０に表示する画像を更新する（ステップＳ４５）。
【０１７５】
所定の処理は、例えば、ＩＤがｉのサブの電子機器１００Ｂの操作に基づくアプリケーションの実行、又は、実行中のアプリケーションにおける操作入力（タッチ）に対応する処理（ＧＵＩ部品の表示又は移動等）である。
【０１７６】
アプリケーションプロセッサ１４１Ａは、ＩＤの値ｉをインクリメントする（ｉ＝ｉ＋１）（ステップＳ４６）。次のＩＤのサブの電子機器について処理を行うためである。
【０１７７】
アプリケーションプロセッサ１４１Ａは、ＩＤの値ｉがｎに到達したかどうかを判定する（ステップＳ４７）。すべてのサブの電子機器について処理を行ったかどうかを判定するためである。
【０１７８】
アプリケーションプロセッサ１４１Ａは、ＩＤの値ｉがｎに到達した（Ｓ４７：ＹＥＳ）と判定すると、すべての処理が終了したかどうかを判定する（ステップＳ４８）。
【０１７９】
アプリケーションプロセッサ１４１Ａは、すべての処理が終了した（Ｓ４８：ＹＥＳ）と判定すると、サブの電子機器との無線通信を切断する（ステップＳ４９）。
【０１８０】
次いで、アプリケーションプロセッサ１４１Ａは、表示装置２００との無線通信を切断する（ステップＳ５０）。
【０１８１】
アプリケーションプロセッサ１４１Ａは、ステップＳ５０の処理を終えると、一連の処理を終了する（エンド）。
【０１８２】
なお、アプリケーションプロセッサ１４１Ａは、ステップＳ４１において、近接操作による座標（Ｘ，Ｙ，Ｚ）のデータをＩＤがｉのサブの電子機器から受信していない（Ｓ４１：ＮＯ）と判定すると、フローをステップＳ４６に進行させる。
【０１８３】
また、アプリケーションプロセッサ１４１Ａは、ステップＳ４２において、Ｚ座標が所定値以下ではない（Ｓ４２：ＮＯ）と判定した場合と、ステップＳ４４において、操作入力（タッチ）が行われていない（Ｓ４４：ＹＥＳ）と判定した場合にも、フローをステップＳ４６に進行させる。
【０１８４】
これらの場合に、フローをステップＳ４６に進行させるのは、サブの電子機器から受信する近接操作の位置の座標に基づいて、ポインタを表示するための処理を行うためである。
【０１８５】
また、アプリケーションプロセッサ１４１Ａは、ＩＤの値ｉがｎに到達していない（Ｓ４７：ＮＯ）と判定すると、フローをステップＳ４１にリターンする。ステップＳ４６でインクリメントしたＩＤの値ｉを有するサブの電子機器について、ステップＳ４２〜Ｓ４５の処理を実行するためである。
【０１８６】
以上の処理を実行することにより、電子機器１００Ａのアプリケーションプロセッサ１４１Ａが電子機器１００Ａ、１００Ｂ、１００Ｃに行われる近接操作に基づいてポインタ１６１Ａ、１６１Ｂ、１６１Ｃを表示する処理を行うことにより、図１２に示すようにポインタ１６１Ａ、１６１Ｂ、１６１Ｃが表示される。また、表示装置２００には、図１３に示すように、ポインタ２１１Ａ、２１１Ｂ、２１１Ｃが表示される。
【０１８７】
そして、電子機器１００Ａ、１００Ｂ、１００Ｃに操作入力が行われると、入力内容に応じて、アプリケーションの実行、又は、実行中のアプリケーションにおける操作入力（タッチ）に対応する処理（ＧＵＩ部品の表示又は移動等）が行われる。
【０１８８】
例えば、３人の利用者が電子機器１００Ａ、１００Ｂ、１００Ｃを用いてゲーム等を行えば、お互いの近接操作による指先の位置をポインタ１６１Ａ、１６１Ｂ、１６１Ｃで知ることができる。また、お互いの操作入力がどこで行われるかをポインタ１６１Ａ、１６１Ｂ、１６１Ｃで予想することができる。
【０１８９】
以上、実施の形態２によれば、複数の利用者がそれぞれの電子機器１００Ａ、１００Ｂ、１００Ｃに近接操作を行うと、ディスプレイパネル１６０にポインタ１６１Ａ、１６１Ｂ、１６１Ｃが表示され、表示装置２００のディスプレイパネル２１０にポインタ２１１Ａ、２１１Ｂ、２１１Ｃが表示される。
【０１９０】
ディスプレイパネル２１０の表示内容は、電子機器１００Ａ、１００Ｂ、１００Ｃの各々のディスプレイパネル１６０の表示内容と同一であり、ポインタ２１１Ａ、２１１Ｂ、２１１Ｃは、ディスプレイパネル１６０のポインタ１６１Ａ、１６１Ｂ、１６１Ｃをディスプレイパネル２１０に表示したものである。
【０１９１】
ポインタ１６１Ａ、１６１Ｂ、１６１Ｃは、それぞれ、手の陰になるため３人の利用者にとって見えにくいが、利用者の眼前に配置される表示装置２００のディスプレイパネル２１０に表示されるポインタ２１１Ａ、２１１Ｂ、２１１Ｃは、利用者にとっては非常に見えやすいものである。
【０１９２】
このため、３人の利用者がそれぞれ手元の電子機器１００Ａ、１００Ｂ、１００Ｃに操作入力を行う前に、トップパネル１２０に指先を接触させずに近づけているときに、指先の位置をポインタ２１１Ａ、２１１Ｂ、２１１Ｃで容易かつ正確に認識することができる。
【０１９３】
従って、実施の形態２によれば、操作性の良好な入力支援システム３００Ａ、及び、電子機器１００Ａ、１００Ｂ、１００Ｃを提供することができる。
【０１９４】
例えば、電子機器１００Ａ、１００Ｂ、１００Ｃでゲームのアプリケーションを実行する場合に入力支援システム３００Ａを利用すれば、電子機器１００Ａ、１００Ｂ、１００Ｃを入力装置として利用し、非接触の状態でトップパネル１２０に近づけた指先の位置を表示装置２００で認識できるので、非常に新しい感覚でゲームを楽しむことができる。
【０１９５】
また、ゲーム以外の用途で電子機器１００Ａ、１００Ｂ、１００Ｃを利用するときでも、操作入力（タッチ）を行う前に、指先の位置を把握できるので、ミスタッチを抑制することができ、より簡単かつ確実な操作入力（タッチ）が可能になる。
【０１９６】
なお、以上では、表示装置２００のディスプレイパネル２１０が非常に大きい形態について説明したが、ディスプレイパネル２１０の大きさは、電子機器１００Ａ、１００Ｂ、１００Ｃのディスプレイパネル１６０と等しくてもよく、どのようなサイズであってもよい。
【０１９７】
また、以上では、一例として、３人の利用者がそれぞれ電子機器１００Ａ、１００Ｂ、１００Ｃを利用する形態について説明したが、実施の形態２では、利用者は２人以上いればよい。
【０１９８】
また、実施の形態２では、３つの電子機器１００Ａ、１００Ｂ、１００Ｃのうちの電子機器１００Ａをメインの電子機器として機能させ、電子機器１００Ｂ、１００Ｃをサブの電子機器として機能させている。
【０１９９】
３つの電子機器１００Ａ、１００Ｂ、１００Ｃのディスプレイパネル１６０に表示する内容は、すべてメインの電子機器１００Ａのアプリケーションプロセッサ１４１Ａの処理によって決定される。また、表示装置２００のディスプレイパネル２１０に表示する内容も、メインの電子機器１００Ａのアプリケーションプロセッサ１４１Ａの処理によって決定される。
【０２００】
このため、電子機器１００Ａが処理を統括することにより、複数の電子機器１００Ａ、１００Ｂ、１００Ｃへの近接操作に基づくポインタ１６１Ａ、１６１Ｂ、１６１Ｃの表示と、操作入力に基づく処理の実行とを効率的かつ正確に行うことができる。また、サブとしての電子機器１００Ｂ、１００Ｃのアプリケーションプロセッサ１４１Ａの処理の負担を軽減することができる。
【０２０１】
あるいは、高速化および電子機器１００Ａの処理負担軽減のために、電子機器１００Ａのアプリケーションプロセッサ１４１Ａが更新した画像を無線送信するのは、表示装置２００に対してのみに行ってもよい。
【０２０２】
また、以上では、電子機器１００Ａ、１００Ｂ、１００Ｃと、表示装置２００とを無線通信で接続する形態について説明したが、図１６に示すように、電子機器１００Ａ、１００Ｂ、１００Ｃと、表示装置２００とを有線通信で接続してもよい。
【０２０３】
図１６は、実施の形態２の変形例の入力支援システム３００Ｂを示す図である。入力支援システム３００Ｂは、電子機器１００Ａ１、１００Ｂ１、１００Ｃ１と、表示装置２００Ａと、有線通信ハブ２０とを含む。
【０２０４】
電子機器１００Ａ１、１００Ｂ１、１００Ｃ１は、それぞれ、図１０に示す電子機器１００Ａ、１００Ｂ、１００Ｃの無線通信インターフェース１４４を有線通信インターフェース１４４Ａに変更したものである。その他の構成は、図１０に示す電子機器１００Ａ、１００Ｂ、１００Ｃと同様である。
【０２０５】
表示装置２００Ａは、図１０に示す表示装置２００の無線通信インターフェース２２２を有線通信インターフェース２２２Ａに変更したものである。その他の構成は、図１０に示す表示装置２００と同様である。
【０２０６】
電子機器１００Ａ１、１００Ｂ１、１００Ｃ１の有線通信インターフェース１４４Ａと、表示装置２００Ａの有線通信インターフェース２２２Ａとは、有線通信ハブ２０で接続されている。
【０２０７】
図１６に示すように、電子機器１００Ａ１、１００Ｂ１、１００Ｃ１と、表示装置２００Ａとを有線通信ハブ２０を介して、有線通信で接続してもよい。なお、有線通信ハブ２０を用いなくても接続できる場合は、電子機器１００Ａ１、１００Ｂ１、１００Ｃ１と、表示装置２００Ａとを直接的に接続してもよい。
【０２０８】
＜実施の形態３＞
図１７は、実施の形態３の入力支援システムに含まれる電子機器１００Ｄを示す図である。
【０２０９】
電子機器１００Ｄは、図６に示す実施の形態１の電子機器１００に、ボリュームボタン１０３Ａ、１０３Ｂを追加した構成を有する。ボリュームボタン１０３Ａはボリューム（音量）を下げるためのボタンであり、ボリュームボタン１０３Ｂはボリュームを上げるためのボタンである。
【０２１０】
また、電子機器１００Ｄは、実施の形態１の電子機器１００と同様の構成を有するが、アプリケーションプロセッサ１４１Ａ（図５参照）の機能が異なる。アプリケーションプロセッサ１４１Ａの機能が異なることと、ボリュームボタン１０３Ａ、１０３Ｂを追加したこと以外は、電子機器１００Ｄは、実施の形態１の電子機器１００と同様のハードウェア構成を有するため、以下では図５を援用して説明する。
【０２１１】
実施の形態３の電子機器１００Ｄでは、アプリケーションプロセッサ１４１Ａは、ボリュームボタン１０３Ａ、１０３Ｂが両方とも押されているかどうかを判定することができる。
【０２１２】
アプリケーションプロセッサ１４１Ａは、ボリュームボタン１０３Ａ、１０３Ｂが両方とも押されているときに、トップパネル１２０に操作入力（タッチ）が行われると、ポインタ１６２を表示する。ポインタ１６２は、ボリュームボタン１０３Ａ、１０３Ｂが両方とも押されている間に操作入力（タッチ）が行われると、利用者の指先がトップパネル１２０に触れている位置（操作入力（タッチ）の位置）において、ディスプレイパネル１６０に表示される。
【０２１３】
このため、実施の形態３の電子機器１００Ｄでは、ボリュームボタン１０３Ａ、１０３Ｂを両方とも押しながらスワイプ操作を行うと、スワイプ操作でポインタ１６２を移動することができる。例えば、図１７に示すように、位置Ａでスワイプ操作を開始して、トップパネル１２０に触れている指先を位置Ｂまで移動させると、ポインタ１６２は、位置Ａで表示が開始され、位置Ｂまで移動する。
【０２１４】
そして、位置Ｂで指先をトップパネル１２０から離すと、ポインタ１６２は表示されなくなる。
【０２１５】
図１８は、実施の形態３の電子機器１００Ｄのアプリケーションプロセッサ１４１Ａが実行する処理を示すフローチャートである。
【０２１６】
アプリケーションプロセッサ１４１Ａは、無線通信インターフェース１４４を介して、表示装置２００と無線通信で接続する（ステップＳ６１）。
【０２１７】
アプリケーションプロセッサ１４１Ａは、ディスプレイパネル１６０に表示している画像のデータを表示装置２００に送信する（ステップＳ６２）。
【０２１８】
アプリケーションプロセッサ１４１Ａは、ボリュームボタン１０３Ａ、１０３Ｂが両方とも押されているかどうかを判定する（ステップＳ６３）。
【０２１９】
アプリケーションプロセッサ１４１Ａは、ボリュームボタン１０３Ａ、１０３Ｂが両方とも押されている（Ｓ６３：ＹＥＳ）と判定すると、操作入力（タッチ）が行われているかどうかを判定する（ステップＳ６４）。
【０２２０】
アプリケーションプロセッサ１４１Ａは、操作入力（タッチ）が行われている（Ｓ６４：ＹＥＳ）と判定すると、ディスプレイパネル１６０にポインタ１６２を表示する（ステップＳ６５）。なお、既にポインタ１６２をディスプレイパネル１６０に表示している場合は、アプリケーションプロセッサ１４１Ａは、ステップＳ６５において、ポインタ１６２をディスプレイパネル１６０に表示している状態を保持する。ステップＳ６５の処理は、アプリケーションプロセッサ１４１Ａの中のポインタ制御部１４１Ｂによって実行される。
【０２２１】
アプリケーションプロセッサ１４１Ａは、すべての処理が終了したかどうかを判定する（ステップＳ６６）。
【０２２２】
アプリケーションプロセッサ１４１Ａは、すべての処理が終了した（Ｓ６６：ＹＥＳ）と判定すると、無線通信を切断する（ステップＳ６７）。
【０２２３】
以上、実施の形態３によれば、ボリュームボタン１０３Ａ、１０３Ｂが両方とも押されている間に操作入力（タッチ）が行われると、利用者の指先がトップパネル１２０に触れている位置（操作入力（タッチ）の位置）において、ポインタ１６２がディスプレイパネル１６０に表示される電子機器１００Ｄを提供することができる。
【０２２４】
そして、表示装置２００のディスプレイパネル２１０には、ポインタ１６２に対応するポインタが表示される。
【０２２５】
ポインタ１６２は、手の陰になるため利用者にとって見えにくいが、利用者の眼前に配置される表示装置２００のディスプレイパネル２１０に表示されるポインタは、利用者にとっては非常に見えやすいものである。
【０２２６】
このため、利用者が手元の電子機器１００Ｄに対して、ボリュームボタン１０３Ａ、１０３Ｂが両方を押すとともに、操作入力（タッチ）を行えば、指先の位置をディスプレイパネル２１０に表示されるポインタで容易かつ正確に認識することができる。
【０２２７】
また、実施の形態３の電子機器１００Ｄでは、ボリュームボタン１０３Ａ、１０３Ｂを両方とも押しながらスワイプ操作を行うと、スワイプ操作でポインタ１６２を移動することができる。
【０２２８】
例えば、従来の電子機器では、アイコンに触れた指先をスワイプ操作で意図的に動かした場合と、アイコンに触れてから、そのアイコンに触れたことによる操作入力をキャンセルするために指先を離さずに移動させたこととの違いをうまく認識できない場合がある。後者も指先の動きはスワイプ操作と同様である。
【０２２９】
このような場合に、両方のボリュームボタン１０３Ａ、１０３Ｂを押しながらスワイプ操作を行った場合を有効な操作入力として受け付け、両方のボリュームボタン１０３Ａ、１０３Ｂを押さずにスワイプ操作を行った場合を操作入力として受け付けないようにすればよい。
【０２３０】
こうすることにより、実施の形態３によれば、スワイプ操作による操作入力を行いやすい電子機器１００Ｄを提供することができる。また、両方のボリュームボタン１０３Ａ、１０３Ｂを押しながらスワイプ操作を行えば、表示装置２００のディスプレイパネル２１０にスワイプ操作の位置を表すポインタが表示されるため、操作性も向上させることができる。
【０２３１】
従って、実施の形態３によれば、操作性の良好な入力支援システム、及び、電子機器１００Ｄを提供することができる。
【０２３２】
なお、以上では、ボリュームボタン１０３Ａ、１０３Ｂが両方とも押されている間に操作入力（タッチ）が行われると、ポインタ１６２をディスプレイパネル１６０に表示する形態について説明した。すなわち、ボリュームボタン１０３Ａ、１０３Ｂが両方とも押されることにより、ポインタ１６２を表示することが可能になる特定の動作モードになる形態について説明した。
【０２３３】
しかしながら、このような特定の動作モードを選択するための操作は、ボリュームボタン１０３Ａ、１０３Ｂを両方とも押す操作に限られない。例えば、カメラを操作するためのボタン（ＧＵＩ部品ではない電気機械式のボタン）がある場合には、カメラを動作させていないときに、カメラを操作するためのボタンを押すことによって、特定の動作モードを選択できるようにしてもよい。その他、電子機器１００Ｄの様々な操作によって、上述のような特定の動作モードを選択できるようにしてもよい。
【０２３４】
以上、本発明の例示的な実施の形態の入力支援システム、及び、電子機器について説明したが、本発明は、具体的に開示された実施の形態に限定されるものではなく、特許請求の範囲から逸脱することなく、種々の変形や変更が可能である。
以上の実施の形態に関し、さらに以下の付記を開示する。
（付記１）
第１利用者の操作対象になるＧＵＩ部品を表示する第１表示部と、
前記第１表示部の表示面側に配設され、第１操作面を有する第１トップパネルと、
前記第１操作面に非接触で近接する第１利用者の身体の一部の第１位置を検出する、静電容量式の第１位置検出部と、
前記第１位置検出部によって検出される前記第１位置と前記第１操作面との間の距離が所定値以下になると、前記第１表示部の表示領域のうちの前記第１位置を前記第１表示部に投影した第１投影位置に、第１ポインタを表示する第１ポインタ制御部と
を有する、電子機器と、
前記電子機器とは独立して設けられるとともに、前記電子機器と通信可能に接続され、前記第１表示部に表示される前記ＧＵＩ部品と前記第１ポインタとを相対位置関係を保持して表示する表示装置と
を含む、入力支援システム。
（付記２）
前記第１位置検出部は、ホバリング機能によって前記第１位置を検出する、付記１記載の入力支援システム。
（付記３）
前記表示装置は、第１利用者の眼前に配置されるディスプレイパネルを有する装置、又は、第１利用者が装着するヘッドマウントディスプレイである、付記１又は２記載の入力支援システム。
（付記４）
前記電子機器と通信可能に接続されるサブ電子機器をさらに含み、
前記サブ電子機器は、
第２利用者の操作対象として前記ＧＵＩ部品を表示する第２表示部と、
前記第２表示部の表示面側に配設され、第２操作面を有する第２トップパネルと、
前記第２操作面に非接触で近接する第２利用者の身体の一部の第２位置を検出する、静電容量式の第２位置検出部と、
前記第２位置検出部によって検出される前記第２位置と前記第２操作面との間の距離が所定値以下になると、前記第２表示部の表示領域のうちの前記第２位置を前記第２表示部に投影した第２投影位置に、第２ポインタを表示する第２ポインタ制御部と、
前記第２表示部における前記第２投影位置を表すデータを前記電子機器に送信する送信部と
を有し、
前記電子機器は、前記サブ電子機器から受信する前記第２投影位置に前記第１表示部の中で対応する位置に、前記第２ポインタを表示し、
前記表示装置は、さらに、前記第１表示部に表示される前記第２ポインタを、前記ＧＵＩ部品と前記第２ポインタとの相対位置関係を保持して表示する、付記１乃至３のいずれか一項記載の入力支援システム。
（付記５）
第１利用者の操作対象になるＧＵＩ部品を表示する第１表示部と、
前記第１表示部の表示面側に配設され、第１操作面を有する第１トップパネルと、
前記第１操作面に非接触で近接する第１利用者の身体の一部の第１位置を検出する、静電容量式の第１位置検出部と、
前記第１位置検出部によって検出される前記第１位置と前記第１操作面との間の距離が所定値以下になると、前記第１表示部の表示領域のうちの前記第１位置を前記第１表示部に投影した第１投影位置に、第１ポインタを表示する第１ポインタ制御部と、
前記電子機器とは独立して設けられる表示装置に、前記ＧＵＩ部品及び前記第１ポインタの画像データと、前記第１表示部に表示される前記ＧＵＩ部品と前記第１ポインタとの相対位置を表すデータとを送信する送信部と
を含む、電子機器。
（付記６）
第１利用者の操作対象になるＧＵＩ部品を表示する第１表示部と、
前記第１表示部の表示面側に配設され、第１操作面を有する第１トップパネルと、
前記第１操作面に行われる操作入力の第１位置を検出する第１位置検出部と、
前記第１表示部に表示される第１ポインタのスワイプ操作を可能にする特定の動作モードにおいて、前記位置検出部によって検出される前記第１位置に第１ポインタを表示し、前記操作入力によるスワイプ操作が行われると、前記第１ポインタを移動させる第１ポインタ制御部と
を有する、電子機器と、
前記電子機器とは独立して設けられるとともに、前記電子機器と通信可能に接続され、前記第１表示部に表示される前記ＧＵＩ部品と前記第１ポインタとを相対位置関係を保持して表示する表示装置と
を含む、入力支援システム。
（付記７）
前記表示装置は、第１利用者の眼前に配置されるディスプレイパネルを有する装置、又は、第１利用者が装着するヘッドマウントディスプレイである、付記６記載の入力支援システム。
（付記８）
前記電子機器と通信可能に接続されるサブ電子機器をさらに含み、
前記サブ電子機器は、
第２利用者の操作対象になるＧＵＩ部品を表示する第２表示部と、
前記第２表示部の表示面側に配設され、第２操作面を有する第２トップパネルと、
前記第２操作面に行われる操作入力の第２位置を検出する第２位置検出部と、
前記第２表示部に表示される第２ポインタのスワイプ操作を可能にする特定の動作モードにおいて、前記位置検出部によって検出される前記第２位置に第２ポインタを表示し、前記操作入力によるスワイプ操作が行われると、前記第２ポインタを移動させる第２ポインタ制御部と、
前記第２表示部における前記第２位置を表すデータを前記電子機器に送信する送信部と
を有し、
前記電子機器は、前記サブ電子機器から受信する前記第２位置に前記第１表示部の中で対応する位置に、前記第２ポインタを表示し、
前記表示装置は、さらに、前記第１表示部に表示される前記第２ポインタを、前記ＧＵＩ部品と前記第２ポインタとの相対位置関係を保持して表示する、付記６又は７記載の入力支援システム。
（付記９）
第１利用者の操作対象になるＧＵＩ部品を表示する第１表示部と、
前記第１表示部の表示面側に配設され、第１操作面を有する第１トップパネルと、
前記第１操作面に行われる操作入力の第１位置を検出する第１位置検出部と、
前記第１表示部に表示される第１ポインタのスワイプ操作を可能にする特定の動作モードにおいて、前記位置検出部によって検出される前記第１位置に第１ポインタを表示し、前記操作入力によるスワイプ操作が行われると、前記第１ポインタを移動させる第１ポインタ制御部と、
前記電子機器とは独立して設けられる表示装置に、前記ＧＵＩ部品及び前記第１ポインタの画像データと、前記第１表示部に表示される前記ＧＵＩ部品と前記第１ポインタとの相対位置を表すデータとを送信する送信部と
を含む、電子機器。
【符号の説明】
【０２３５】
１００、１００Ａ、１００Ｂ、１００Ｃ  電子機器
１０１  入力操作部
１０２  ＧＵＩ部品
１１０  筐体
１２０  トップパネル
１３０  両面テープ
１４０  制御部
１４１  ＣＰＵ
１４２  ディスプレイインターフェース
１４３  タッチパネルインターフェース
１４４  無線通信インターフェース
１４５  バス
１４６  ＲＡＭ
１４７  内蔵ストレージ
１４８  記憶媒体
１５０  タッチパネル
１６０  ディスプレイパネル
１６１Ａ、１６１Ｂ、１６１Ｃ  ポインタ
１７０  基板
２００  表示装置
２１０  ディスプレイパネル
２１１Ａ、２１１Ｂ、２１１Ｃ  ポインタ
３００、３００Ａ  入力支援システム
【図１】
2017068797.tif 000003
【図２】
2017068797.tif 000004
【図３】
2017068797.tif 000005
【図４】
2017068797.tif 000006
【図５】
2017068797.tif 000007
【図６】
2017068797.tif 000008
【図７】
2017068797.tif 000009
【図８】
2017068797.tif 000010
【図９】
2017068797.tif 000011
【図１０】
2017068797.tif 000012
【図１１】
2017068797.tif 000013
【図１２】
2017068797.tif 000014
【図１３】
2017068797.tif 000015
【図１４】
2017068797.tif 000016
【図１５】
2017068797.tif 000017
【図１６】
2017068797.tif 000018
【図１７】
2017068797.tif 000019
【図１８】
2017068797.tif 000020
【手続補正書】
【提出日】平成27年10月7日(2015.10.7)
【手続補正１】
【補正対象書類名】明細書
【補正対象項目名】０１１５
【補正方法】変更
【補正の内容】
【０１１５】
ディスプレイパネル１２には、利用者の手元にある電子機器１００のディスプレイパネル１６０に表示される画像と同一の画像が表示される。ヘッドマウントディスプレイ１０を装着した状態では、利用者は、手元の電子機器１００のディスプレイパネル１６０を見ることはできず、電子機器１００に対して近接操作を行いながら、ディスプレイパネル１２に表示されるポインタを見て、操作入力を行う。